(57)【要約】【課題】本発明は、ＣＭ開始時に番組一覧を表示し、ＣＭ終了時に元の視聴していたチャンネルに戻る情報受信装置を提供する。【解決手段】本実施の形態の情報受信装置は、視聴中のチャンネルでＣＭの開始あるいは終了を監視するＣＭ監視手段と、前記ＣＭ監視手段でＣＭの開始を検出したときに、視聴中のチャンネル以外のチャンネルのリストを作成するリスト作成手段と、前記リスト作成手段で作成したチャンネルリストを表示するか否かを制御する制御手段とを備え、前記制御手段は、前記ＣＭ監視手段でＣＭの開始を検出したときに、前記チャンネルリストを前記表示手段に表示するように制御する。【選択図】図１
2011205311.tif 000002
【特許請求の範囲】
【請求項１】
複数のチャンネルを含むテレビ信号から特定のチャンネルのテレビ信号を選局する選局手段と、
前記選局手段で選局したテレビ信号を復調して、少なくとも番組情報を出力する復調手段と、
前記復調手段で復調されたテレビ信号を表示可能な表示手段と、
前記復調手段で出力した番組情報から視聴中のチャンネルでコマーシャルの開始あるいは終了を監視するコマーシャル監視手段と、
前記コマーシャル監視手段でコマーシャルの開始を検出したときに、視聴中のチャンネル以外のチャンネルのリストを作成するリスト作成手段と、
前記リスト作成手段で作成したチャンネルリストを表示するか否かを制御する制御手段とを備え、
前記制御手段は、前記コマーシャル監視手段でコマーシャルの開始を検出したときに、前記チャンネルリストを前記表示手段に表示するように制御することを特徴とする情報受信装置。
【請求項２】
前記制御手段は、前記コマーシャル監視手段でコマーシャルの終了を検出したときに、前記チャンネルリストを非表示するように制御することを特徴とする請求項１に記載の情報受信装置。
【請求項３】
前記チャンネルリストは、各チャンネルのテレビ信号の一部を含むことを特徴とする請求項１または２に記載の情報受信装置。
【発明の詳細な説明】
【技術分野】
【０００１】
本発明は、テレビジョン放送を受信する情報受信装置に関し、特に、コマーシャル放送（以下、ＣＭとする）開始あるいは終了時の選局機能に関するものである。
【背景技術】
【０００２】
従来、複数のチャンネルの中からユーザが見たいチャンネルを選局動作して番組を視聴する情報受信装置として、ポータブル型のテレビが多く見られるようになった。ユーザはＣＭになったときには、別のチャンネルにザッピングしながら、いろいろな番組を次々と視聴するような使い方が多い。しかしＣＭになるたびに、別のチャンネルに選局してしまうと、もともと見ていたチャンネルでＣＭが終了しても、それを知る手段がないので、番組を見逃してしまうことがあった。またＣＭ中にどのチャンネルを見るべきかを決めずに操作をする場合が多いので、ＣＭという短い時間に見たい番組を決定することが困難であった。
【０００３】
特許文献１では、ユーザ自身のチャンネル切換操作をせずに、ＣＭなどにより一時的に切り替えたチャンネルを元の視聴していた番組のチャンネルに自動的に戻ることが開示されている。
【０００４】
このように、従来の情報受信装置は、元のチャンネルに自動的に戻ることにより、ＣＭ中に別の番組を視聴することができる。
【先行技術文献】
【特許文献】
【０００５】
【特許文献１】特開２００７−１１６５３７号公報
【発明の概要】
【発明が解決しようとする課題】
【０００６】
しかしながら、従来の情報受信装置では、ＣＭ中に選局するチャンネルはユーザが適当に決めているので、ＣＭ中に見たい番組を見つけることは難しいという問題があった。
【０００７】
そこで、本発明は、上記従来の問題点を解決すべく、現在視聴中のチャンネルがＣＭになった場合に、その視聴中の番組以外の全ての番組一覧を表示することで、上記課題を解決する情報受信装置を提供することを目的とする。
【課題を解決するための手段】
【０００８】
上記目的を達成するために、本発明の情報受信装置は、複数のチャンネルを含むテレビ信号から特定のチャンネルのテレビ信号を選局する選局手段と、前記選局手段で選局したテレビ信号を復調して、少なくとも番組情報を出力する復調手段と、前記復調手段で復調されたテレビ信号を表示可能な表示手段と、前記復調手段で出力した番組情報から視聴中のチャンネルでコマーシャルの開始あるいは終了を監視するコマーシャル監視手段と、前記コマーシャル監視手段でコマーシャルの開始を検出したときに、視聴中のチャンネル以外のチャンネルのリストを作成するリスト作成手段と、前記リスト作成手段で作成したチャンネルリストを表示するか否かを制御する制御手段とを備え、前記制御手段は、前記コマーシャル監視手段でコマーシャルの開始を検出したときに、前記チャンネルリストを前記表示手段に表示するように制御することを特徴とする情報受信装置としたものである。
【発明の効果】
【０００９】
上記の構成によれば、ＣＭ開始時に番組一覧を表示し、ＣＭ終了時に元の視聴していたチャンネルに戻る情報受信装置を提供できる。
【図面の簡単な説明】
【００１０】
【図１】実施の形態１にかかる情報受信装置のブロック図
【図２】実施の形態１にかかる情報受信装置のタイムチャートを示す図
【図３】実施の形態１にかかる情報受信装置のチャンネルリスト画面例を示す図
【発明を実施するための形態】
【００１１】
以下、本発明の情報受信装置の実施の形態について、図面を参照しながら説明する。
（実施の形態１）
図１に、実施の形態１にかかる情報受信装置のブロック図を示す。
【００１２】
情報受信装置１００は、選局手段１０１と、復調手段１０２と、ＣＭ監視手段１０３と、リスト作成手段１０４と、表示手段１０５と、制御手段１０６で構成される。
【００１３】
選局手段１０１は、複数のチャンネルを含むテレビ信号から特定のチャンネルのテレビ信号を選局する。
【００１４】
復調手段１０２は、選局手段１０１で選局したテレビ信号を復調して、映像・音声信号および番組情報を出力する。
【００１５】
ＣＭ監視手段１０３は、復調手段１０２で出力した番組情報から視聴中のチャンネルでＣＭの開始あるいは終了を監視する。具体的には、番組情報の中にＣＭ開始フラグを検出したらＣＭ開始と判断し、ＣＭ終了フラグを検出したらＣＭ終了と判断する。本実施の形態では、ＣＭ開始フラグ及びＣＭ終了フラグによりＣＭの存在を検出することができたが、ＣＭに関する情報をデータベースで保持し、その情報を用いて復調手段１０２で出力した映像・音声信号がＣＭであるかどうかを判断するようにして良い。
【００１６】
リスト作成手段１０４は、ＣＭ監視手段１０３でＣＭの開始を検出したときに、復調手段１０２で出力された番組情報、テレビ信号をもとに、視聴中のチャンネル以外のチャンネルに関する情報を集めたリストを作成する。
【００１７】
表示手段１０５は、復調手段１０２で復調されたテレビ信号と、リスト作成手段１０４により作成されたチャンネルリストを表示する。
【００１８】
制御手段１０６は、ＣＭ監視手段１０３に基づいて、リスト作成手段１０４で作成したチャンネルリストを表示するか否かを制御する。
【００１９】
次に、情報受信装置１００の動作を説明する。
【００２０】
図２に、実施の形態１にかかる情報受信装置のタイムチャートを示す。
【００２１】
ユーザがＣＨ１を選局すると、選局手段１０１はＣＨ１のテレビ信号を選局する。その後、復調手段１０２は選局手段１０１が選局したテレビ信号を復調し、映像・音声信号および番組情報を出力する。
【００２２】
ＣＨ１の放送が番組本編からＣＭに切り替わると、ＣＭ監視手段１０３は、番組情報のＣＭ開始フラグを検出し、ＣＨ１においてＣＭが開始されたことを検知する。ＣＭ監視手段１０３がＣＭの開始を検出すると、リスト作成手段１０４は、復調手段１０２で得られた番組情報から、ＣＨ１以外のチャンネルの情報を集めたリストを作成する。このチャンネルリストが作成されると、制御手段１０６は、リスト作成手段１０４が作成した図３（ａ）または（ｂ）のようなチャンネルリストを表示手段１０５に表示する。
【００２３】
図３（ａ）は、番組名を一覧表示したチャンネルリスト画面例である。番組名一覧表示画面３０１は、複数のチャンネル表示３０２と、各チャンネルの番組名表示３０３で構成される。チャンネル表示３０２または番組名表示３０３を図示しない操作手段で選択すると、対応するチャンネルを選局して、視聴することができる。
【００２４】
図３（ｂ）は、番組サムネイルを一覧表示したチャンネルリスト画面例である。番組サムネイル一覧表示画面３０４は、複数の番組サムネイル表示３０５で構成される。図３（ａ）と同様に、番組サムネイル表示３０５を図示しない操作手段で選択すると、対応するチャンネルを選局して、視聴することができる。
【００２５】
ＣＨ１の放送がＣＭから番組本編に戻ると、ＣＭ監視手段１０３は、番組情報のＣＭ終了フラグを検出し、ＣＨ１においてＣＭが終了したことを検知する。ＣＭ監視手段１０３がＣＭの終了を検出すると、制御手段１０６は、既に表示しているチャンネルリストを非表示とすることで、元の視聴していたチャンネルの表示へ戻る。これにより、ユーザはＣＭ中に何も操作することなく他のチャンネルの番組を確認できるとともに、元のチャンネルでＣＭが終了して番組本編が開始されたときに元のチャンネルに戻ることができる。
【産業上の利用可能性】
【００２６】
本発明は、テレビジョン放送を受信する情報受信装置に関し、特に、ＣＭ開始あるいは終了時の選局機能に関するものであって、ＣＭ開始時に番組一覧を表示し、ＣＭ終了時に元の視聴していたチャンネルに戻ることができる情報受信装置を提供する。そのため、本発明は、ＣＭ中にユーザが操作することなく他のチャンネルの番組を確認でき、ある番組を視聴しながら他の番組を探す自動ザッピング機能の用途に適用できる。
【符号の説明】
【００２７】
１００  情報受信装置
１０１  選局手段
１０２  復調手段
１０３  ＣＭ監視手段
１０５  表示手段
１０４  リスト作成手段
１０６  制御手段
３０１  番組名一覧表示画面
３０４  番組サムネイル一覧表示画面
３０２  チャンネル表示
３０３  番組名表示
３０５  番組サムネイル表示
【図１】
2011205311.tif 000003
【図２】
2011205311.tif 000004
【図３】
2011205311.tif 000005